(57)【要約】【課題】折りたためてかさばらず、かつ、軽くて１度に多量に運べ、鉄筋と鉄筋の重なり部が結束しやすくて作業効率が良くなる、プラスチック製のスペーサーを提供する。【解決手段】使用時に上下開口部が四角形状を形成する筒状の直方体の壁１１，１２，１３，１４のそれぞれの上部中央部に、Ｕ字状あるいはＶ字状の欠け部２１，２２，２３，２４をそれぞれ設ける。直方体の壁１１，１２，１３，１４が、それぞれ隣り合う辺部に、折り曲げ部３１，３２，３３，３４を設ける。直方体の壁１１，１２，１３，１４と折り曲げ部３１，３２，３３，３４はすべて一体になっている。欠け部２１，２２，２３，２４のＵ字状を、深さが横の長さの２倍以上にする。【選択図】  図５
2004353428.tif 000002
【特許請求の範囲】
【請求項１】
下記の要件を備えて成ることを特徴とする折りたたみができるプラスチック製のスペーサー。
（イ）使用時に上下開口部が四角形状を形成する筒状の直方体の壁１１，１２，１３，１４のそれぞれの上部中央部に、Ｕ字状あるいはＶ字状の欠け部２１，２２，２３，２４をそれぞれ設ける。
（ロ）直方体の壁１１，１２，１３，１４が、それぞれ隣り合う辺部に、折り曲げ部３１，３２，３３，３４を設ける。
（ハ）直方体の壁１１，１２，１３，１４と折り曲げ部３１，３２，３３，３４はすべて一体になっている。
【請求項２】
欠け部２１，２２，２３，２４のＵ字状が、深さが横の長さの２倍以上である請求項１の折りたたみができるプラスチック製のスペーサー。
【発明の詳細な説明】
【０００１】
【発明の属する技術分野】
この発明は、折りたたみができるプラスチック製のスペーサーに関するものである。
【０００２】
【従来の技術】
図１から図４で示すように、鉄筋コンクリート打設施工時に、あらかじめ鉄筋を縦横に配置する際、多数ある鉄筋の交差部の要所要所にスペーサー１００を配置して、鉄筋を支え安定させる。
そして、スペーサー１００を配置した後、コンクリートを流し込んでスペーサー１００を含んだまま鉄筋コンクリート打設施工を完了させる。
この施工に使用する従来のスペーサー１００は、コンクリートなどであらかじめ直方体状に成形されたものを使用していた。
【０００３】
また、欠け部１１０の深さが浅い弓形であった。
【０００４】
【発明が解決しようとする課題】
スペーサー１００はコンクリートなどで直方体状に成形されているので、鉄筋の交差部の要所要所にスペーサー１００を運ぶのに重く、かつ、かさばるため、１度に多くのスペーサー１００を運ぶのが困難であった。
【０００５】
また、欠け部１１０の深さが浅い弓形であったため、交差部の縦と横に２本重なった鉄筋を受ける場合、１本の鉄筋しか受けられず鉄筋が不安定であった。
【０００６】
【課題を解決するための手段】
これらの欠点を取り除くために、あらかじめ直方体状に成形されたスペーサー１００を使用しないで済む方法はないかと考え、請求項１と請求項２の折りたたみができるプラスチック製のスペーサーを発明した。
まず、請求項１について説明する。
下記の要件を備えて成ることを特徴とする折りたたみができるプラスチック製のスペーサー。
（イ）使用時に上下開口部が四角形状を形成する筒状の直方体の壁１１，１２，１３，１４のそれぞれの上部中央部に、Ｕ字状あるいはＶ字状の欠け部２１，２２，２３，２４をそれぞれ設ける。
（ロ）直方体の壁１１，１２，１３，１４が、それぞれ隣り合う辺部に、折り曲げ部３１，３２，３３，３４を設ける。
（ハ）直方体の壁１１，１２，１３，１４と折り曲げ部３１，３２，３３，３４はすべて一体になっている。
【０００７】
次に、請求項２について説明する。
請求項１の欠け部２１，２２，２３，２４のＵ字状を、深さが横の長さの２倍以上になるようにする。
【０００８】
【発明の実施の形態】
以下、本発明の実施の形態を説明する。
本発明はプラスチック製なので、プラスチック成形により生産することになる。
プラスチックには、いろいろな種類のものがあるが、本発明の使用目的からして、折り曲げや高温高圧に耐えられるプラスチックが適している。このプラスチックの１例としてポリプロピレンが望ましい。
【０００９】
まず、請求項１について説明する。
図５と図６で示すように、使用時に上下開口部が四角形状を形成する筒状の直方体の壁１１，１２，１３，１４のそれぞれの上部中央部に、Ｕ字状あるいはＶ字状の欠け部２１，２２，２３，２４をそれぞれ成形する。
欠け部をＵ字状にする場合は、鉄筋の直径（９ｍｍ、１３ｍｍ、１６ｍｍ、２１ｍｍなどが市販されている）に合わせて成形する。
欠け部をＶ字状にする場合は、鉄筋の直径はどのようなものでも受けられる。鉄筋の交差部で下側になる鉄筋は安定度が増すが、上側の鉄筋の安定度は劣る。
【００１０】
直方体の壁１１，１２，１３，１４が、それぞれ隣り合う辺部に、折り曲げ部３１，３２，３３，３４を成形する。
【００１１】
直方体の壁１１，１２，１３，１４と折り曲げ部３１，３２，３３，３４はすべて一体になるように成形する。
【００１２】
次に、請求項２について説明する。
欠け部２１，２２，２３，２４のＵ字状が、深さが横の長さの２倍以上であるように成形する。
例えば、欠け部２１，２２，２３，２４のＵ字状の横の長さを１４ｍｍにした場合、深さを２８ｍｍにする。こうすれば、交差部の２本の鉄筋は、欠け部のＵ字状の中に完全に納まり、鉄筋が安定する。
【００１３】
【使用例】
請求項１の本発明は次の順序で使用する。
工程１：縦横に配置した鉄筋の交差部のスペーサー配置箇所に本発明を運ぶ際は、図８で示すように本発明は折りたたんでおく。本発明は、筒状でありプラスチック製なので重くなく、折りたたんであるのでかさばらず、本発明を１度に多く運ぶことができる。
工程２：スペーサー配置箇所で本発明を１つ取り出して、折りたたんである本発明を図５で示すように四角形状の筒状に戻す。
工程３：四角形状の筒状に戻した本発明を、欠け部が上になるように、敷き砂利３００の上に置く。
工程４：本発明の欠け部に、縦に配置した鉄筋を入れ、次いで横に配置した鉄筋を入れ、鉄筋の交差部を針金などで結束する。
工程５：縦横に配置した鉄筋の交差部の要所要所への本発明の配置を完了させる。
工程６：鉄筋の交差部をすべて針金などで結束する。
工程７：現場にコンクリートを流し込む。
工程８：流れ込んだコンクリートは本発明の周囲に及び始める。この際、コンクリートの流れによる圧力が本発明にかかっても、本発明は鉄筋の重みを受けていることで変形は生じにくい。また、コンクリートが高温になっているが、本製品は高温に耐えられるプラスチックを使用するので問題は極めて少ない。
工程９：コンクリートが本発明の壁を超えて内部に流れ込み、本発明の内部がコンクリートで満たされる。
工程１０：コンクリートが本発明や鉄筋を覆う。
【００１０】
【発明の効果】
本発明を使用することによって、次のような効果を生む。
（イ）プラスチック製の筒状なので、直方体状に成形されたコンクリートなどのスペーサーに比べ軽くて運びやすくなり、作業効率が良くなる。
（ロ）折りたためるのでかさばらず、１度に多量に運べて作業効率が良くなる。
（ハ）プラスチック製なので水を吸わない。このため、コンクリートの水分度合いが安定するので、コンクリートのひび割れ防止につながる。
（ニ）プラスチック製なので、コンクリートと一緒に存在していても長時間腐らず安定するので、コンクリートのひび割れ防止につながる。
（ホ）本発明を配置してから鉄筋と鉄筋の重なり部を針金などで結束するとき、本発明の筒状による内部空間を利用できるので結束しやすく、作業効率が良くなる。
（ヘ）プラスチック製なので、量産が可能であり、製造コストを低く抑えられる。
【図面の簡単な説明】
【図１】図１は従来のスペーサーの正面図である。
【図２】図２は従来のスペーサーの上面図である。
【図３】図３は鉄筋の縦横配置例とスペーサー配置例を示す上面図である。
【図４】図４は従来のスペーサーの使用状態を示す正面図である。
【図５】図５は本発明の上面図である。
【図６】図６は本発明の正面図である。
【図７】図７は本発明の使用状態を示す正面図である。
【図８】図８は本発明を折りたたんだ状態を示す底面図である。
【符号の説明】
１１，１２，１３，１４  直方体の壁
２１，２２，２３，２４  欠け部
３１，３２，３３，３４  折り曲げ部
５０ａ，５０ｂ・・・５０ｎ  鉄筋
６０ａ，６０ｂ・・・６０ｎ  鉄筋
１００，１００ａ，１００ｂ・・・従来のスペーサー
１１０  従来のスペーサーの欠け部
２００  土
３００  敷き砂利
【図１】
2004353428.tif 000003
【図２】
2004353428.tif 000004
【図３】
2004353428.tif 000005
【図４】
2004353428.tif 000006
【図５】
2004353428.tif 000007
【図６】
2004353428.tif 000008
【図７】
2004353428.tif 000009
【図８】
2004353428.tif 000010